(57)【要約】  モータサイクルの収納コンテナ（１）が記載されており、前記収納コンテナ（１）はコンテナ本体（２）を備え、前記コンテナ本体（２）は、前記コンテナ本体（３１〜３３）に機能的に連結された収納コンパートメント（３）および蓋（４）を形成しており、前記コンテナ本体（２）は、アクセス開口（２３）と、前記アクセス開口（２３）に向かい合っている下部壁（２１）と、前記下部壁（２１）の周囲に延在し、接続されている側壁（２２）とを備え、前記蓋（４）は、開放構成と閉鎖構成とをとるように前記コンテナ本体（２）に動作可能に連結されており、当該開放構成では、前記アクセス開口（２３）を介して前記収納コンパートメント（３）にアクセスでき、当該閉鎖構成では、前記蓋（４）が前記アクセス開口（２３）を閉じ、前記収納コンパートメント（３）へのアクセスを妨げ、  前記収納コンテナ（１）は、物体ブロックシステム（５）であって、前記コンテナ本体（２）または前記蓋（４）に関連付けられており、前記収納コンパートメント（３）に収容された物体（６）をブロックするように構成された、物体ブロックシステム（５）を備えることを特徴とし、前記物体ブロックシステム（５）は、  前記収納コンパートメント（３）で動作可能に受けるように構成された膨張可能な部材（７）であって、前記膨張可能な部材（７）は、休止構成と拡張構成とをとるように構成されており、    当該休止構成では、前記膨張可能な部材（７）は、実質的に収縮され、    当該拡張構成では、前記膨張可能な部材（７）は、前記休止構成に対して拡張され、前記膨張可能な部材（７）は、前記拡張構成であり且つ前記蓋（４）が前記閉鎖構成であるとき、前記収納コンパートメント（３）に拡張し、前記収納コンパートメント（３）に収容された前記物体（６）を前記下部壁（２１）、前記側壁（２２）および前記蓋（４）の中の少なくとも一つに対してブロックするように構成されている、  膨張可能な部材（７）と、  前記膨張可能な部材（７）を膨張させるように前記膨張可能な部材（７）に動作可能に連結された膨張装置（８）であって、前記膨張装置（８）は、前記膨張可能な部材（７）を前記休止構成から前記拡張構成へと切り替えるように構成されている、膨張装置（８）と、  前記膨張可能な部材（７）を収縮させるように前記膨張可能な部材（７）に動作可能に連結された解放装置（９）であって、前記解放装置（９）は、前記膨張可能な部材（７）を前記拡張構成から前記休止構成へと切り替えるように構成されている、解放装置（９）とを備える。【選択図】図２
2020506103.tif 000002
【特許請求の範囲】
【請求項１】
モータサイクルの収納コンテナ（１）であって、
前記収納コンテナ（１）はコンテナ本体（２）を備え、前記コンテナ本体（２）は、前記コンテナ本体（３１〜３３）に機能的に連結された収納コンパートメント（３）および蓋（４）を形成しており、前記コンテナ本体（２）は、アクセス開口（２３）と、前記アクセス開口（２３）に向かい合っている下部壁（２１）と、前記下部壁（２１）の周囲に延在し、接続されている側壁（２２）とを備え、前記蓋（４）は、開放構成と閉鎖構成とをとるように前記コンテナ本体（２）に動作可能に連結されており、当該開放構成では、前記アクセス開口（２３）を介して前記収納コンパートメント（３）にアクセスでき、当該閉鎖構成では、前記蓋（４）が前記アクセス開口（２３）を閉じ、したがって前記収納コンパートメント（３）へのアクセスを妨げ、
前記収納コンテナ（１）は、物体ブロックシステム（５）であって、前記コンテナ本体（２）または前記蓋（４）に関連付けられており、前記収納コンパートメント（３）に収容された物体（６）をブロックするように構成された、物体ブロックシステム（５）を備え、前記物体ブロックシステム（５）は、
前記収納コンパートメント（３）で動作可能に受けるのに適した膨張可能な部材（７）であって、前記膨張可能な部材（７）は、休止構成と拡張構成とをとるのに適しており、
当該休止構成では、前記膨張可能な部材（７）は、実質的に収縮され、
当該拡張構成では、前記膨張可能な部材（７）は、前記休止構成に対して拡張され、前記膨張可能な部材（７）は、前記拡張構成であり且つ前記蓋（４）が前記閉鎖構成であるとき、前記収納コンパートメント（３）に拡張され、前記収納コンパートメント（３）に収容された前記物体（６）を前記下部壁（２１）、前記側壁（２２）および前記蓋（４）の中の少なくとも一つに対してブロックするのに適している、
膨張可能な部材（７）と、
前記膨張可能な部材（７）を膨張させるように前記膨張可能な部材（７）に動作可能に連結された膨張装置（８）であって、前記膨張装置（８）は、前記膨張可能な部材（７）を前記休止構成から前記拡張構成へと切り替えるのに適している、膨張装置（８）と、
前記膨張可能な部材（７）を収縮させるように前記膨張可能な部材（７）に動作可能に連結された解放装置（９）であって、前記解放装置（９）は、前記膨張可能な部材（７）を前記拡張構成から前記休止構成へと切り替えるのに適している、解放装置（９）とを備え、
前記膨張可能な部材（７）は、前記収納コンパートメント（３）で受けられ、前記コンテナ本体（２）に固定された環状部材（７）を備える、
モータサイクルの収納コンテナ（１）。
【請求項２】
前記収納コンテナは、モータサイクルのトップボックス（１）またはサドルバッグである、請求項１に記載の収納コンテナ（１）。
【請求項３】
前記膨張可能な部材（７）は、中央開口（７１）を備え、前記物体（６）は、前記中央開口（７１）の内側で、前記拡張構成で、受けられ、保持されるのに適している、請求項１または請求項２に記載の収納コンテナ（１）。
【請求項４】
前記物体ブロックシステム（５）は、前記膨張可能な部材（７）を収縮させるために、前記蓋（４）の前記閉鎖構成から前記開放構成への移動によって前記解放装置（９）を制御するように、前記解放装置（９）に動作可能に連結された制御システム（１０）を備える、請求項１から請求項３のいずれか一項に記載の収納コンテナ（１）。
【請求項５】
前記膨張可能な部材（７）は、前記下部壁（２１）に固定されており、前記拡張構成で、前記蓋（４）に対して前記物体（６）をブロックするのに適している、請求項１から請求項４のいずれか一項に記載の収納コンテナ（１）。
【請求項６】
前記膨張可能な部材（７）は、前記蓋（４）に固定されており、前記拡張構成で、前記下部壁（２１）に対して前記物体（６）をブロックするのに適している、請求項１から請求項４のいずれか一項に記載の収納コンテナ（１）。
【請求項７】
前記膨張可能な部材（７）は、前記コンテナ本体（２）の前記側壁（２２）に固定されており、前記拡張構成で、前記下部壁２１、前記側壁２２および前記蓋４の中の少なくとも一つに対して前記物体（６）をブロックするのに適している、請求項１から請求項４のいずれか一項に記載の収納コンテナ（１）。
【請求項８】
請求項１から請求項７のいずれか一項に定められた収納コンテナ（１）を備えるモータサイクル。
【発明の詳細な説明】
【技術分野】
【０００１】
本発明は概して、モータサイクルの分野、より具体的には、請求項１の前文に定められているようなモータサイクルの収納コンテナに関する。
【背景技術】
【０００２】
いくつかのモータサイクル、特に、排他的ではないが、二つ以上の車輪を備えるスクータでは、車両の後部部品に適用された又は一体化されたトップボックスなどの、サドルの下に収納コンテナの形で作られた収納コンパートメント（収納区画）またはヘルメットコンパートメントの利用が知られている。
【０００３】
一般的に後方に固定される収納トップボックスは、収納コンパートメントを形成しているコンテナ本体、および開放構成と閉鎖構成とをとるようにコンテナ本体にヒンジ連結された蓋で構成されている。当該開放構成では、収納コンパートメントにアクセスでき、当該閉鎖構成では、蓋がコンテナ本体を上部で閉じ、収納コンパートメントにアクセスするのを妨げる。
【０００４】
トップボックスのコンテナ本体は通常、閉じた底を備える剛性のある本体であり、上記されたような蓋によって上部を閉じるように構成されている。
【発明の概要】
【０００５】
収納コンパートメントは一般的に、物体、例えば一対のヘルメット（運転手および同乗者用）を運ぶために使用されている。従来技術のトップボックスの欠点の一つは、トップボックスの大きさおよび装備重量に起因して、モータサイクルの使用中に、コンパートメント内で運ばれている物体が、少なからず動き回ることができるという事実に由来する。ヘルメットの堅牢性によってヘルメット自体が重大な損傷を受けるのは防止されるが、衝突または擦れによって、塗装または表面処理を損傷させ、その上、騒音を発生させ得る。
【０００６】
加えて、トップボックスの収納コンパートメントはまた、特にトップボックスが取り付けられているモータサイクルが動いており、かつヘルメットが運転手に被られているとき、小さく又は脆い他の物体を運ぶために使用され得ることに留意しなければならない。
【０００７】
従来技術のモータサイクルのトップボックスのさらなる欠点は、収納コンパートメントがヘルメット以外の異なる大きさの物体を運ぶために使用されているとき、コンパートメントの壁で当該物体を収容するのが難しいということから発生しており、したがって、例えば移動中にモータサイクルがぶつかった後、物体は動き回り騒音を発生させ、その上、トップボックスのコンテナ本体または蓋に対してぶつかることで、損傷を被り得る。
【０００８】
本記載の目的は、従来技術による収納コンテナに関する前述の欠点を少なくとも部分的に解決または克服できる、モータサイクルの収納コンテナを提供することである。
【０００９】
この目的および他の目的は、最も一般的な実施形態において請求項１で、様々な特定の実施形態において従属請求項で定められているような、モータサイクルの収納コンテナによって達成される。
【００１０】
請求項９で定められているようなモータサイクルは、同様に、本発明の目的である。
【図面の簡単な説明】
【００１１】
本発明は、添付図面に関して非限定的な例として与えられている、以下の実施形態の詳細な説明からより理解できる。
【００１２】
【図１】図１は、好ましい実施形態によるモータサイクル用のトップボックスの概略的な断面側面図である。そのようなトップボックスは、開放構成での蓋とともに描かれており、トップボックスの収容コンパートメントで物体をブロックするための物体ブロックシステムを設けられている。そのような物体ブロックシステムは、休止構成で描かれている。
【図２】図２は、図１に類似している概略的な断面側面図であり、図１でのトップボックスが閉鎖構成での蓋とともに描かれている。図１での物体ブロックシステムは、拡張構成で描かれており、そのようなシステムは、収納コンパートメントに収容された物体をブロックするように構成されている。
【００１３】
同じまたは類似の部材は、添付図面では同じ符号で示されている。
【発明を実施するための形態】
【００１４】
本明細書では、用語「内部（ｉｎｔｅｒｎａｌ）」および「外部（ｅｘｔｅｒｎａｌ）」は、収納コンテナの収納コンパートメントの中央に言及していることに留意すべきである。
【００１５】
図１から図２に関して、モータサイクルの収納コンテナは、好ましい実施形態によって概略的に示されており、全体的に符号１で示されている。実施例において、収納コンテナは、トップボックス１である。しかしながら、本明細書での情報は、トップボックスへの適用に限られず、モータサイクルのサドルバッグ（例えばモータサイクルの側面に取り付けられるように構成された類いのサドルバッグ）など、モータサイクルの収納コンテナの他の種類に一般的に適用できることに留意すべきである。特に、（モータサイクルの後方部品に適用または一体化されるように構成された）トップボックス１は、コンテナ本体２を備え、コンテナ本体２は、内部収納コンパートメント３、および開放構成（図１参照）と閉鎖構成（図２参照）とをとるようにコンテナ本体２に動作可能に連結された蓋４を形成している。実際、コンテナ本体２は、それ自体は周知であり、例えば、剛体の、半剛体の、または柔軟性のある本体であり、例えば剛性のあるプラスチック、革または他の類似の材料で作られ、物体を収容するような形状をしている。開放構成では、蓋４は、アクセス開口２３を介して収納コンパートメント３にアクセスできる。閉鎖構成では、蓋４は、アクセス開口２３を閉じ、コンパートメント３にアクセスするのを妨げる。蓋４は、コンテナ本体２に機能的に連結されている。好ましい実施形態によると、特に、蓋４は、好ましくは連結ヒンジ４１を介して、コンテナ２に回転自在にヒンジ連結されている。好ましい実施形態によると、コンテナ本体２は、下部壁２１および側壁２２を備え、側壁２２は、下部壁２１の周囲に延在し、接続されている。下部壁２１は、蓋が開放構成であるときにコンパートメント３にアクセスできるアクセス開口２３と向かい合っている。
【００１６】
収納コンテナ１は、収納コンパートメント３に収容されている（例えば、限定するものではないが、ヘルメット６などの）物体６をブロック（移動を阻止）するための物体ブロックシステム５を備えている。一実施形態によると、物体ブロックシステム５は、コンテナ本体２に関連付けられている。代替的な実施形態によると（示されていない）、物体ブロックシステム５は、蓋４に関連付けられている。それでもやはり、物体ブロックシステム５は一般的に、下部壁２１、側壁２２および蓋４の中の少なくとも一つと関連付けられ得ることに留意すべきである。物体ブロックシステム５は、収納コンパートメント３で動作可能に受けられるように構成された膨張可能な、または拡張可能な部材７を備える。膨張可能な部材７は、以下でより詳細に説明するような、収納コンパートメント３に収容された物体６をブロックするように設けられたブロック部材である。特に、膨張可能な部材７は、休止構成（図１参照）と拡張構成（図２参照）とをとるように構成されている。休止構成では、膨張可能な部材７は、収縮または実質的に収縮している。拡張構成では、膨張可能な部材７は、休止構成に対して拡張している。特に、拡張構成であり、かつ蓋４が閉鎖構成であるとき、膨張可能な部材７は、収納コンパートメント３に拡張し、コンパートメント３に収容された前述の物体６をブロックするように構成されている。好ましい実施形態によると、例えば図２に示されているように、拡張構成であり、かつ蓋４が閉鎖構成であるとき、膨張可能な部材７は、収納コンパートメント３に拡張し、収納コンパートメント３に収容された物体６を下部壁２１に対してブロックするように構成されている。しかしながら、一般的に、拡張構成であり、かつ蓋４が閉鎖構成であるとき、膨張可能な部材７は、収納コンパートメント３に拡張し、収納コンパートメント３に収容された物体６を、下部壁２１、側壁２２および蓋４の中の少なくとも一つに対してブロックするように構成されていることに留意すべきである。例えば、いかなる限定をするものではないが、一実施形態によると（示されていない）、膨張可能な部材７は、蓋４に連結または取り付けられている。この場合、膨張可能な部材７が拡張構成であるとき、かつ蓋４が閉鎖構成であるとき、膨張可能な部材７は、収納コンパートメント３に拡張し、収納コンパートメント３に収容された物体６を、下部壁２１、および場合によっては側壁２２も含めたものの中の少なくとも一つに対してブロックするように構成されている。代替的な実施形態によると、膨張可能な部材７は、下部壁２１に連結または取り付けられており、拡張構成では、少なくとも蓋４に対して、および場合によっては側壁２２に対しても物体６をブロックするように構成されている。さらなる実施形態によると、膨張可能な部材７は、側壁２２に連結または取り付けられており、拡張構成では、下部壁２１、側壁２２および蓋４の中の少なくとも一つに対して物体６をブロックするように構成されている。
【００１７】
好都合な実施形態によると、膨張可能な部材７は、環状形状（好ましくはトロイダル状）を備える部材７であり、収納コンパートメント３に配置され、コンテナ本体２に取り付けられている。一実施形態によると、環状部材７（図１および図２に断面が描かれている）は、好ましくは拡張構成でトロイダル状または部分的にトロイダル状の形状となるように構成された、本質的にリングまたは環状の空気室のような形状である。環状の膨張可能な部材７は、中央開口７１を備えており、物体６は中央開口７１の内側で、前述の拡張構成で、受けられ、保持されるように構成されている。トロイダル形状にすると、下記のような様々な利点がある。膨張可能な部材がしぼんだときに障害物が制限される。コンテナ本体２の壁または蓋４に取り付けるのが容易である。蓋４の動作に対抗しない。機能的に、ヘルメットなどの半球状の物体を維持するように特に構成され、物体をその周囲に沿って保持し、物体をコンテナ本体２と一体にする。
【００１８】
好ましい実施形態によると、既知の類いの圧力除去バルブ（描かれていない）は、膨張可能な部材７に関連付けられ得る。好ましい実施形態によると、環状部材７は、コンテナ本体２の下部壁２１に面している中央開口７１に配置されている。膨張可能な部材７は好ましくは、コンテナ本体２の壁２１と壁２２の少なくとも一つに固定されている。
【００１９】
物体ブロックシステム５は、膨張可能な部材７を膨張させるように、膨張可能な部材７に動作可能に連結された膨張装置８を備える。一実施形態によると、膨張装置８は、膨張可能な部材７の空間７２または空洞７２に空気を取り込むように構成されている。膨張装置８は、膨張可能な部材７を休止構成から拡張構成へと切り替えるように構成されている。好ましい実施形態によると、膨張装置８は、電気ポンプ８を備え、電気ポンプ８は好ましくは、逆止め弁を取り付けられている。電気ポンプ８は、好ましくはトップボックスと一体に配置されており、トップボックスの下の二重底またはトップボックスの側面に含まれている。二重底は、ポンプ、並びに管類およびバルブなどの付属部材を含むように構成された第２の空間を形成する。ポンプ８は、トップボックス１が取り付けられるモータサイクルの計器盤に設けられた制御要素を介して制御され得る。特に、トップボックスは急速連結および分離装置を取り付けられるため、ポンプを制御し、電源を供給する電気的接点は好適には、急速連結／分離装置で作られる。例えば、接点は、トップボックスが取り付けられたときに車両への手動連結用のジャックによって、またはトップボックスが取り付けられたときに自動的に連結するスライド接点の形で作られ得る。供給電圧は１２Ｖであり、ポンプの作動時（したがって数秒間）のみ接点に作用するということに技術的に留意すべきである。
【００２０】
物体ブロックシステム５はまた、膨張可能な部材７を収縮させるように、膨張可能な部材７に動作可能に連結された解放装置９を備え、好ましくは解放バルブ９を備える。解放装置９は、膨張可能な部材７を拡張構成から休止構成へと切り替えるように構成されている。
【００２１】
好都合な実施形態によると、物体ブロックシステム５は、膨張可能な部材７を収縮させるために、蓋４の閉鎖構成から開放構成への移動によって解放装置９を制御するように、解放装置９に動作可能に連結された制御システム１０を備える。それによって、蓋４が開いたとき、解放装置９は作動し、物体を収納コンパートメントから取り出すまたは収納コンパートメントへ入れるために、膨張可能な部材７を少なくとも部分的に収縮させる。好ましい実施形態によると、制御システム１０は、例えば、限定するものではないが、単純な機械的命令によって作られ得る。例えば、制御システム１０は、機械的連結１０１を備えることができ、機械的連結１０１は、ヒンジ４１および解放装置９に動作可能に連結されている。特に、連結１０１は、蓋４が閉鎖構成であるとき、解放装置９が閉鎖の状態になるように、ヒンジ４１および解放装置９に連結されており、当該状態では、機械的連結１０１は、空気の解放を防ぐように解放装置９の解放開口９１を閉じ、膨張可能な部材７を拡張構成に維持している。トップボックスが開かれたとき、すなわち蓋４が閉鎖構成から開放構成へと切り替わったとき、ヒンジ４１によって制御されている機械的連結１０１によって、解放装置９が解放の状態になり、当該状態では、機械的連結１０１は、解放開口９１を自由にし、それによって空気の解放を可能とし、したがって膨張可能な部材７を収縮させる。蓋４が開放構成になったとき、解放装置９は解放の状態を維持し、膨張可能な部材７は好ましくは休止構成を実現するまで収縮し続けることに留意すべきであり、当該構成では、膨張可能な部材７内の空気圧は好ましくは大気圧に達する。図１および図２で示されている例において、膨張可能な部材７は、蓋４が開放構成である間は、膨張され得ないこともまた留意すべきである。膨張可能な部材７を膨張させるために、蓋４は、閉鎖構成にならなければならず、解放装置９の解放開口９１は、機械的連結１０１によって再び閉じられなければならない。
【００２２】
収納コンテナ１の構造の記載の後、物体ブロックシステム５の動作の例が、図１および図２の図面に示された実施形態に関して与えられ、記載される。
【００２３】
閉鎖構成（図２参照）の蓋４および休止構成（図１参照）の膨張可能な部材７を備えるトップボックス１を考えると、（例えば図２で示されているような）物体６、および収納コンパートメント３に収容された他の任意の物体の存在に適合自在に、収納コンパートメント３の相当な部分を、より好ましくは収納コンパートメント３内のできる限り最大容積を、占めるまで、膨張装置８を動作することで膨張可能な部材７を膨張させることが可能である。
【００２４】
膨張した後、膨張可能な部材７は好ましくは、物体６および任意のさらなる物体を下部壁２１に接触させ続け、当該物体が、動き回ったり、壁２１、壁２２および／または蓋４にぶつかったり、衝突したりするのを防止する。
【００２５】
除去バルブは、もし設けられていた場合、空間７２の任意の過剰な空気を排出し、コンパートメント３内で膨張可能な部材７によって生じている物体に対する圧力を一定に保ち、そのような物体を動かないように保持する。
【００２６】
収納コンテナ１が開けられたとき、すなわち蓋４が閉鎖構成から開放構成へと移動したとき、解放装置９は制御システム１０によって作動され、膨張可能な部材７は、収縮し、再び休止構成になる。
【００２７】
収納コンテナ１が再び閉じられたとき、すなわち蓋４が開放構成から閉鎖構成へと動かされたとき、解放装置９は再び閉じ、それによって膨張装置８は、膨張可能な部材７が再び拡張構成になるまで膨張可能な部材７を膨張させるように作動され得、当該構成では、膨張可能な部材７は、一つ以上の物体を収納コンパートメント３内で動かないように保持することができる。
【００２８】
トップボックス１の記載について、トップボックス１を備えるモータサイクルもまた、黙示的に記載されていることに、留意すべきである。これに関連して、用語「モータサイクル（ｍｏｔｏｒｃｙｃｌｅ）」は一般的に、例えば、限定するものではないが、モペッド、モータバイク、スクータなどの、二輪または三輪を備えるすべてのモータサイクルを含むと解釈されるものであることに留意すべきである。
【００２９】
上記に基づいて、本発明によるモータサイクル用の収容コンテナが、どのようにして従来技術に関する前述の目的を達成するのかを理解することがしたがって可能である。
【００３０】
例として上記で記載され、示された説明に対して、改良および／または変化がなされ得ることは明らかである。
【００３１】
例えば、本記載に関して、用語「膨張可能な（ｉｎｆｌａｔａｂｌｅ）」は一般的に、空気流または別の加圧ガスで膨張したときに拡張するように一般的に構成された部材を備えると理解されるものであることに留意すべきである。例えば、代替的な実施形態において、膨張可能な部材７は、蓋４に取り付けられ、トップボックスのコンパートメント３内に拡張するように構成された弾性的な膜（描かれていない）を備えることができる。特に、そのような弾性膜は、弾性膜との間のシール性を確保するように蓋４に取り付けられており、トップボックスの、および膨張装置８の蓋４は、蓋４と弾性膜との間にガス（好ましくは空気）を取り込みながら弾性膜が拡張できるように弾性膜に動作可能に連結されている。
【００３２】
本発明の原理を損なうことなく、実施形態および構造詳細は、単なる非限定的な例として与えられた上記記載に対して、添付の特許請求の範囲で定められた発明の範囲から逸脱することなく、大きく変化できる。
【図１】
2020506103.tif 000003
【図２】
2020506103.tif 000004
【国際調査報告】
2020506103.tif 000005
2020506103.tif 000006